(57)【要約】【課題】ホワイトバランス制御の可能なバックライトアセンブリ及びこれを有する液晶表示装置を提供する。【解決手段】互いに異なる光を出射する複数の点光源２２１，２２３，２２４を含む光学クラスタと、光学クラスタの発光領域内に配置され、点光源２２１，２２３，２２４のそれぞれから出射された光を受光する受光構造体２３０と、受光構造体２３０に連結され、受光構造体２３０で受光された光を感知する光感知センサと、光学クラスタを搭載する回路基板２１０と、を含む。【選択図】図４
2007200888.tif 000002
【特許請求の範囲】
【請求項１】
互いに異なる光を出射する複数の点光源を含む光学クラスタと、
前記光学クラスタの発光領域内に配置され、前記点光源のそれぞれから出射された光を受光する受光構造体と、
前記受光構造体に連結され、前記受光構造体で受光された光を感知する光感知センサと、
前記光学クラスタを搭載する回路基板と、を含むことを特徴とするバックライトアセンブリ。
【請求項２】
前記点光源に電力を供給する電源供給装置を更に含み、
前記電源供給装置は、前記光感知センサで感知された光感知信号に応答して前記点光源に供給する電力を調節することを特徴とする請求項１記載のバックライトアセンブリ。
【請求項３】
前記複数の点光源は、一の平面上に配置されることを特徴とする請求項１記載のバックライトアセンブリ。
【請求項４】
前記点光源は、発光ダイオードを含むことを特徴とする請求項３記載のバックライトアセンブリ。
【請求項５】
前記光学クラスタは、赤色発光ダイオード、青色発光ダイオード、及び緑色発光ダイオードを含むことを特徴とする請求項１記載のバックライトアセンブリ。
【請求項６】
前記光学クラスタは、１つの赤色発光ダイオード、１つの青色発光ダイオード、及び２つの緑色発光ダイオードを含むことを特徴とする請求項１記載のバックライトアセンブリ。
【請求項７】
前記受光構造体は、前記複数の点光源のそれぞれと対向する複数の受光面を有することを特徴とする請求項１記載のバックライトアセンブリ。
【請求項８】
前記受光面は、前記点光源が配置された平面に対して傾斜していることを特徴とする請求項７記載のバックライトアセンブリ。
【請求項９】
前記受光面は、前記点光源から出射された光の経路に対して実質的に垂直であることを特徴とする請求項７記載のバックライトアセンブリ。
【請求項１０】
前記光学クラスタ上に配置され、前記光学クラスタから出射された光を拡散する拡散板を更に含むことを特徴とする請求項１記載のバックライトアセンブリ。
【請求項１１】
前記受光構造体は、前記拡散板で反射された光を遮断する光遮断部材を含むことを特徴とする請求項１０記載のバックライトアセンブリ。
【請求項１２】
前記光遮断部材は、前記拡散板と対向する前記受光構造体の最上部に配置されることを特徴とする請求項１１記載のバックライトアセンブリ。
【請求項１３】
前記光学クラスタは、一の平面上に複数個配置されており、
前記受光構造体は、前記バックライトアセンブリの端部領域に配置された光学クラスタの発光領域内に配置されることを特徴とする請求項１記載のバックライトアセンブリ。
【請求項１４】
前記受光構造体の一の端部は、前記回路基板に形成された開口部に挿入されることを特徴とする請求項１記載のバックライトアセンブリ。
【請求項１５】
前記光感知センサは、前記複数の点光源からそれぞれ出射されたそれぞれの光を感知することを特徴とする請求項１記載のバックライトアセンブリ。
【請求項１６】
前記受光構造体は、前記光学クラスタに配置されることを特徴とする請求項１記載のバックライトアセンブリ。
【請求項１７】
前記受光構造体の最上部は、前記点光源の最上部よりも低いことを特徴とする請求項１記載のバックライトアセンブリ。
【請求項１８】
２枚の基板間に介在された液晶層を用いて画像を表示する液晶表示パネルと、
光学クラスタと前記光学クラスタの発光領域内に配置された受光構造体とを含み、前記液晶表示パネルに光を提供するバックライトアセンブリと、を含むことを特徴とする液晶表示装置。
【請求項１９】
前記バックライトアセンブリは、複数の光学クラスタを含むことを特徴とする請求項１８記載の液晶表示装置。
【請求項２０】
前記受光構造体は、前記複数の光学クラスタのうち、前記バックライトアセンブリの端部領域に配置される光学クラスタの発光領域内に配置されることを特徴とする請求項１９記載の液晶表示装置。
【請求項２１】
前記光学クラスタは、複数の点光源を含むことを特徴とする請求項１８記載の液晶表示装置。
【請求項２２】
前記光学クラスタは、一の平面上に複数個配置されることを特徴とする請求項２１記載の液晶表示装置。
【請求項２３】
前記バックライトアセンブリは、前記光学クラスタ上に配置されて前記光学クラスタから出射された光を拡散する拡散板を更に含み、
前記受光構造体は、前記拡散板で反射された光を遮断する光遮断部材を含むことを特徴とする請求項１８記載の液晶表示装置。
【請求項２４】
前記光遮断部材は、黒色系物質を含むことを特徴とする請求項２３記載の液晶表示装置。
【請求項２５】
前記光遮断部材は、前記拡散板で反射された光を反射する金属物質を含むことを特徴とする請求項２３記載の液晶表示装置。
【発明の詳細な説明】
【技術分野】
【０００１】
本発明は、バックライトアセンブリ及びこれを有する液晶表示装置に関し、より詳細には、ホワイトバランス制御の可能なバックライトアセンブリ及びこれを有する液晶表示装置に関する。
【背景技術】
【０００２】
表示装置は、電子製品の情報処理装置で処理された電気的フォーマット形態のデータを肉眼で確認することができる画像に変更して表示する。このような表示装置としては、ＣＲＴ（ｃａｔｈｏｄｅ  ｒａｙ  ｔｕｂｅ）、ＰＤＰ（ｐｌａｓｍａ  ｄｉｓｐｌａｙ  ｐａｎｅｌ）、ＬＣＤ（ｌｉｑｕｉｄ  ｃｒｙｓｔａｌ  ｄｉｓｐｌａｙ）、ＥＬ（ｅｌｃｔｒｏ  ｌｕｍｉｎｅｓｃｅｎｃｅ）などの多様な種類がある。これらのうち、液晶表示装置（ＬＣＤ）は、液晶（ｌｉｑｕｉｄ  ｃｒｙｓｔａｌ）の電気的特性および光学的特性を用いて画像を表示する平板表示装置の一つであって、他の表示装置に比べて薄くて軽く、低い駆動電圧及び消費電力を有するという長所があるので、産業全般にかけて広範囲に用いられている。
【０００３】
液晶表示装置は、画像を表示する液晶表示パネルが自発的に発光することができない非発光性素子であるため、液晶表示パネルに光を供給するための別途の光源を必要とする。
【０００４】
従来の液晶表示装置は、冷陰極蛍光ランプ（ＣＣＦＬ）、平板蛍光ランプ（ＦＦＬ）などの白色光を発生する光源を主に用いた。
【０００５】
最近は、色再現性の向上のために、赤色、緑色、及び青色発光ダイオードを光源として用いる液晶表示装置の開発が進行されている。特に、色再現性を向上させるために、赤色、緑色、および青色発光ダイオードから発生した単色光は、液晶表示パネルのカラーフィルタとよくマッチするようにホワイトバランスが制御されるべきである。
【発明の開示】
【発明が解決しようとする課題】
【０００６】
本発明の技術的な課題は、このような点に着眼したものであって、本発明の目的は、カラー光感知を通じたホワイトバランス制御のためのバックライトアセンブリを提供することにある。
【０００７】
本発明の他の目的は、上記バックライトアセンブリを有する液晶表示装置を提供することにある。
【課題を解決するための手段】
【０００８】
前記本発明の目的を実現するために一実施形態によるバックライトアセンブリは、光学クラスタ、受光構造体、光感知センサ、及び回路基板を含む。前記光学クラスタは、光を出射する複数の点光源を含む。前記受光構造体は、前記光学クラスタの発光領域内に配置され、前記光学クラスタから出射された光を受光する。前記光感知センサは、前記受光構造体の終端部に配置され、前記受光構造体で受光された光を感知する。前記回路基板は、前記光学クラスタを搭載する。前記回路基板は、前記受光構造体を挿入するために、前記光学クラスタの発光領域内に形成された開口部を有する。
【０００９】
前記バックライトアセンブリは、前記点光源に電力を供給する電源供給装置を更に含み、前記電源供給装置は、前記受光構造体で受光され、前記光感知センサで感知された光感知信号に応答して前記点光源に供給する電力を調節する。
【００１０】
前記点光源は、一の平面上に配置される。前記点光源は、発光ダイオードを含む。
【００１１】
前記受光構造体は、前記複数の点光源それぞれに対向する複数の受光面を含む。ここで、前記受光面は、前記点光源が配置された平面に対して傾斜していることを特徴とする。なお、前記受光面は、前記点光源から出射される光の経路に対して実質的に垂直であることを特徴とする。
【００１２】
前記バックライトアセンブリは、前記光学クラスタ上に配置され、前記光学クラスタから出射された光を拡散する拡散板を更に含む。ここで、前記受光構造体は、前記拡散板で反射された光を遮断する光遮断部材を含む。ここで、前記受光構造体は、前記拡散板と対向する。
【００１３】
前記光学クラスタは、一の平面上に複数個配置されており、前記受光構造体は、前記バックライトアセンブリの端部領域に配置された光学クラスタの発光領域内に配置される。
【００１４】
前記本発明の目的を実現するために、一実施形態による液晶表示装置は、液晶表示パネルおよびバックライトアセンブリを含む。前記液晶表示パネルは、２枚の基板間に介在された液晶層を用いて画像を表示する。前記バックライトアセンブリは、光学クラスタと前記光学クラスタの発光領域内に配置された受光構造体とを含み、前記液晶表示パネルに光を提供する。
【００１５】
前記バックライトアセンブリは、複数の光学クラスタを含むことができ、前記受光構造体は、前記複数の光学クラスタのうち、前記バックライトアセンブリの端部領域に配置される光学クラスタの発光領域内に配置される。
【発明の効果】
【００１６】
本発明のバックライトアセンブリおよびこれを有する液晶表示装置によると、光学クラスタの発光領域に配置された受光構造体を用いて光を感知してホワイトバランス制御を容易に達成することができる。
【発明を実施するための最良の形態】
【００１７】
以下、添付する図面を参照して、本発明をより詳細に説明する。
【００１８】
図１は、本発明の一実施形態による液晶表示装置を説明する分解斜視図である。図２は、図１に示した光発生ユニットの平面図である。
【００１９】
図１及び図２を参照すると、本発明の一実施形態による液晶表示装置は、収納容器１００、光発生ユニット２００、及び液晶パネルユニット３００を含む。
【００２０】
収納容器１００は、光発生ユニット２００を収納するために、底部１１０及び底部１１０の端部から延長されて収納空間を画定する側部１２０を含む。収納容器１００は、一例として、強度が優秀であり、変形が少ない金属を含む。
【００２１】
光発生ユニット２００は、収納容器１００の底部１１０上に配置される。光発生ユニット２００は、複数の回路基板２１０及び回路基板２１０それぞれに配置された複数の光学クラスタ２２０を含んで光を発生する。
【００２２】
光発生ユニット２００は、液晶パネルユニット３００の背面に配置され、バックライトアセンブリを定義する。光学クラスタ２２０のそれぞれは、多様な光を出射する複数の点光源を含む。前記点光源は、任意の領域別に個別的に発光する分割駆動方式（ｌｏｃａｌ  ｄｉｍｍｉｎｇ  ｍｅｔｈｏｄ）で駆動される。
【００２３】
本実施形態で、光学クラスタ２２０のそれぞれは、赤色光を出射する赤色点光源２２１、緑色光を出射する第１緑色点光源２２２、緑色光を出射する第２緑色点光源２２３、及び青色光を出射する青色点光源２２４を含む。したがって、赤色点光源２２１のそれぞれは、発光される時点と発光される時間とが互いに異なることができる。また、第１及び第２緑色点光源２２２，２２３のそれぞれも、発光される時点と発光される時間とが互いに異なることができる。さらに、青色点光源２２４のそれぞれも、発光される時点と発光される時間とが互いに異なることができる。
【００２４】
点光源のそれぞれは、光を出射する発光ダイオード（以下、ＬＥＤと称する）（図示せず）と、ＬＥＤを取り囲み、ＬＥＤから出射された光を拡散する光学レンズ（図示せず）と、を含む。
【００２５】
例えば、赤色点光源２２１は、赤色光を出射する赤色ＬＥＤと、赤色ＬＥＤを取り囲み、赤色光を拡散する第１光学レンズと、を含む。第１緑色点光源２２２は、第１緑色光を出射する第１緑色ＬＥＤと、第１緑色ＬＥＤを取り囲み、第１緑色光を拡散する第２光学レンズと、を含む。第２緑色点光源２２３は、第２緑色光を出射する第２緑色ＬＥＤと、第２緑色ＬＥＤを取り囲み、第２緑色光を拡散する第３光学レンズと、を含む。青色点光源２２４は、青色光を出射する青色ＬＥＤと、青色ＬＥＤを取り囲み、青色光を拡散する第４光学レンズと、を含む。
【００２６】
図１では、光学クラスタが一つの赤色点光源と、二つの緑色点光源と、一つの青色点光源とを含むことを説明したが、光学クラスタが一つの赤色点光源と、一つの緑色点光源と、一つの青色点光源とを含むこともできる。
【００２７】
複数の回路基板２１０は、一定の間隔に離隔されて互いに平行に配置される。ここで、光発生ユニット２００で回路基板２１０上に配置された光学クラスタ２２０は、複数の列に配置される。一例として、光学クラスタ２２０は、隣接する回路基板２１０間でジグザグ形態に配置される。即ち、一つの回路基板２１０に含まれた光学クラスタ２２０は、隣接する回路基板２１０の光学クラスタ２２０間に配置される。このように配置される複数の光学クラスタ（および点光源）は、実質的に同一平面上に形成される。
【００２８】
光発生ユニット２００は、受光構造体２３０を含む。受光構造体２３０は、透明な材質からなる。一例として、受光構造体２３０は、透明であり、屈折率の高いポリメチルメタクリレート（ＰＭＭＡ）系樹脂、ポリカーボネート（ＰＣ）系樹脂、及び／またはメタクリレート／スチレン（ＭＳ）系共重合体のような物質を含む。受光構造体２３０は、複数の光学クラスタ２２０のうち一つの光学クラスタの発光領域内に配置され、一つの光学クラスタから発生した光を受光する。発光領域は、光学クラスタから提供された光が到達する領域を示す。一実施形態において、受光構造体２３０は、複数の光学クラスタ１１０のうち少なくとも一つの光学クラスタに隣接するように配置される。他の実施形態において、受光構造体２３０は、一つの光学クラスタ２２０に対応する複数の点光源２２１，２２２，２２３，２２４によって取り囲まれる発光領域内に配置される。
【００２９】
受光構造体２３０は、液晶パネルユニット３００の角部のような端部領域に配置されることができる。
【００３０】
光発生ユニット２００は、発生した赤色光、緑色光、及び青色光のそれぞれを感知するカラーセンサ（光感知センサ）２４０を更に含む。図１では、カラーセンサ２４０が、受光構造体２３０と一定の間隔で離隔されているように示したが、カラーセンサ２４０は、受光構造体２３０の終端部に配置され、受光構造体２３０を経由する赤色光、緑色光、及び青色光を感知することもできる。
【００３１】
一例として、光学クラスタ２２０は、一つの回路基板２１０上に複数列に配列された構造を有する。他の一例として、回路基板２１０は、収納容器１００の外部に配置され、光学クラスタ２２０のみ収納容器１００の内部に挿入された構造を有する。
【００３２】
液晶パネルユニット３００は、光発生ユニット２００から供給される光を用いて画像を表示する液晶表示パネル３１０と、液晶表示パネル３１０を駆動するための駆動回路部３２０と、を含む。
【００３３】
液晶表示パネル３１０は、第１基板３１２と、第１基板３１２と対向して結合される第２基板３１４と、第１基板３１２と第２基板３１４との間に介在された液晶層（図示せず）と、を含む。
【００３４】
第１基板３１２は、スイッチング素子である薄膜トランジスタ（以下、ＴＦＴ）がマトリクス形態に形成されたＴＦＴ基板である。一例として、第１基板３１２は、ガラス材質を含む。ＴＦＴのソース端子及びゲート端子には、それぞれデータライン及びゲートラインが連結され、ドレイン端子には、透明な導電性材質からなる画素電極が連結される。
【００３５】
第２基板３１４は、色を具現するためのＲＧＢ画素が薄膜形態に形成されたカラーフィルタ基板である。第２基板１３４は、一例として、ガラス材質を含む。第２基板３１４には、透明な導電性材質からなる共通電極が形成される。
【００３６】
このような構成を有する液晶表示パネル３１０は、ＴＦＴのゲート端子に電力（電源）が印加され、ＴＦＴがターンオンされると、画素電極と共通電極との間に電界が形成される。このような電界によって、第１基板３１２と第２基板３１４との間に介在された液晶層の液晶分子の配列が変化し、液晶分子の配列変化によって光発生ユニット２００から供給される光の透過度が変更され、所望の階調の画像を表示するようになる。
【００３７】
駆動回路部３２０は、液晶表示パネル３１０にデータ駆動信号を供給するデータ印刷回路基板（ＰＣＢ）３２１と、液晶表示パネル３１０にゲート駆動信号を供給するゲート印刷回路基板３２２と、データ印刷回路基板３２１を液晶表示パネル３１０に連結するデータ駆動回路フィルム３２３と、ゲート印刷回路基板３２２を液晶表示パネル３１０に連結するゲート駆動回路フィルム３２４と、を含む。
【００３８】
データ駆動回路フィルム３２３及びゲート駆動回路フィルム３２４は、例えば、テープキャリアパッケージ（ＴＣＰ）またはチップオンフィルム（ＣＯＦ）で構成される。一方、ゲート印刷回路基板３２２は、液晶表示パネル３１０及びゲート駆動回路フィルム３２４に別途の信号配線を形成することにより、除去することができる。
【００３９】
一方、液晶表示装置は、光発生ユニット２００の発光のための駆動電圧を発生する電源供給装置４１０を更に含む。電源供給装置４１０で発生された駆動電圧は、第１電源線４１２を通じて光発生ユニット２００に印加される。
【００４０】
また、電源供給装置４１０は、第２電源線２４２を通じてカラーセンサ２４０から提供される光感知信号に基づいて、光発生ユニット２００に供給する駆動電圧を調節する。
【００４１】
例えば、カラーセンサ２４０から提供される光感知信号が、赤色光が相対的に強く、緑色光及び青色光が相対的に弱いものである場合、電源供給装置４１０は、相対的に小さい駆動電圧を光発生ユニット２００の赤色ＬＥＤに供給し、相対的に大きい駆動電圧を光発生ユニット２００の緑色ＬＥＤ及び青色ＬＥＤに供給する。これによって、互いに異なる光を出射するＬＥＤを含む光発生ユニット２００で、ホワイトバランスの制御が容易に達成される。
【００４２】
なお、液晶表示装置は、光発生ユニット２００の上部に配置される光学部材４２０を更に含む。光学部材４２０は、赤色光、緑色光、及び青色光を完全に混合するために、発光ダイオードと一定間隔以上に離隔するように配置される。
【００４３】
光学部材４２０は、発光ダイオードから出射される光を拡散させる拡散板４２２と、拡散板４２２の上部に配置される光学シート４２４と、を含む。
【００４４】
拡散板４２２は、発光ダイオードから出射される光を拡散させて光の輝度均一性を向上させる。拡散板４２２は、所定の厚さを有するプレート形状を有する。拡散板４２２は、一例として、ポリメチルメタクリレート（ＰＭＭＡ）材質から形成され、内部に光の拡散のための拡散剤を含むことができる。
【００４５】
光学シート４２４は、拡散板４２２を通じて拡散された光の経路を再度変更して光の輝度特性を向上させる。光学シート４２４は、拡散板４２２を通じて拡散された光を正面方向に集光させて光の正面輝度を向上させるための集光シートを含むことができる。また、光学シート４２４は、拡散板４２２を通じて拡散された光を再度拡散させるための拡散シートを含むことができる。一方、液晶表示装置は、要求される輝度特性によって多様な機能の光学シートを更に含むことができる。
【００４６】
また、液晶表示装置は、光学部材４２０の下部に導光部材（図示せず）を更に含むことができる。導光部材は、光発生ユニット２００と所定間隔に離隔された位置に配置される。導光部材は、光発生ユニット２００から発生する赤色光、緑色光、及び青色光を混合して白色光を出射する。導光部材は、一例として、ポリメチルメタクリレート（ＰＭＭＡ）材質を含む。
【００４７】
図３は、図１に示した受光構造体の斜視図である。図４は、図１に示した光学クラスタと受光構造体を説明する断面図である。図５は、本発明の一実施形態による受光構造体の受光を概念的に説明する断面図である。
【００４８】
図１〜図５を参照すると、受光構造体２３０は、四角柱形状の本体部２３２と、本体部２３２の上部に配置された感知部２３４と、を含む。
【００４９】
本体部２３２は、回路基板２１０に形成された開口部に挿入される。感知部２３４は、赤色点光源２２１、第１緑色点光源２２２、第２緑色点光源２２３、及び青色点光源２２４のそれぞれに対向する第１〜第４受光面を含む。第１〜第４受光面は、点光源２２１，２２２，２２３，２２４が配置された平面に対して実質的に傾斜していることが望ましい。特に、第１〜第４受光面は、点光源２２１，２２２，２２３，２２４から出射される光の経路に対して実質的に垂直であることが望ましい。感知部２３４の上部面は、第１〜第４受光面に連結され、拡散板４２２と対向する。
【００５０】
点光源２２１，２２３，２２４が発光することによって、それぞれの点光源２２１，２２３，２２４から出射された光は、拡散板４２２に提供される。一方、拡散板４２２に提供されない光の一部は、受光構造体２３０の感知部２３４に提供される。
【００５１】
例えば、赤色点光源２２１から出射された赤色光Ｌ１は、感知部２３４の第１受光面に入射され、青色点光源２２４から出射された青色光Ｌ２は、感知部２３４の第２受光面に入射される。また、第１及び第２緑色点光源２２２，２２３から出射された第１及び第２緑色光は、感知部２３４の第３及び第４受光面にそれぞれ入射される。
【００５２】
これによって、受光構造体２３０の感知部２３４に入射された赤色光、緑色光、及び青色光は、受光構造体２３０の本体部２３２を経由してカラーセンサ２４０に提供される。
【００５３】
なお、受光構造体２３０の最上部は、点光源２２１，２２３，２２４の最上部よりも高くないことが望ましい。
【００５４】
図６は、本発明の他の実施形態による受光構造体の斜視図である。図７は、図６に示した受光構造体を有する光学クラスタの受光を概念的に説明する断面図である。
【００５５】
図６及び図７を参照すると、本発明の他の実施形態による受光構造体５３０は、四角柱形状の本体部２３２と、本体部２３２の上部に配置された感知部２３４と、感知部２３４上に配置された光遮断部材５３６と、を含む。ここで、図３と比較して、同一の構成要素に対しては同一の図面符号を付与する。
【００５６】
光遮断部材５３６は、感知部２３４によって画定される平面に対して平行に配置される。具体的には、本実施形態の光遮断部材５３６は、拡散板４２２と対向する感知部２３４の上部面にされる。一例として、光遮断部材５３６は、黒色系の物質のように入射される光を吸収して光の透過を遮断する物質からなる。他の一例として、光遮断部材５３６は、アルミニウムまたは他の金属のように光の透過を遮断し、かつ外部から入射される光を反射する物質からなる。
【００５７】
点光源２２１，２２３，２２４が発光することによって、それぞれの点光源２２１，２２３，２２４から出射された光は、拡散板４２２に提供される。一方、拡散板４２２に提供されない光の一部は受光構造体５３０の感知部２３４に提供される。例えば、赤色点光源２２１から出射された赤色光Ｌ１は、感知部２３４の第１受光面に入射され、青色点光源２２４から出射された青色光Ｌ２は、感知部２３４の第２受光面に入射される。また、第１及び第２緑色点光源２２２，２２３から出射された第１及び第２緑色光は、感知部２３４の第３及び第４受光面それぞれに入射される。
【００５８】
一方、隣接する光学クラスタから出射された光のうち、拡散板４２２によって反射された隣接光Ｌ３は、光遮断部材５３６によって遮断される。これによって、受光構造体５３０を有する光学クラスタには隣接光Ｌ３が入射されないので、光干渉が防止される。
【００５９】
以上、説明したように、本発明によると、単位光学クラスタ内に具備される点光源、例えば、ＬＥＤのそれぞれから出射された光が実質的に垂直に入射されるように形成された受光面を有する受光構造体がＬＥＤに近接するように配置される。受光構造体は、ＬＥＤのそれぞれから出射された光を受光する。電源供給装置は、受光された光に基づいてＬＥＤのそれぞれに調節された電力（電源）を供給する。これによって、ＬＥＤのそれぞれから出射された光の混合によるホワイトバランスの制御が可能である。
【００６０】
また、受光構造体の最上部には、光遮断部材が配置され、隣接する光学クラスタに具備される点光源、例えば、ＬＥＤから出射された光の干渉が防止される。これによって、光干渉が最小化するので、感知される各色別ＬＥＤ光の強度に基づいてホワイトバランス制御が容易である。
【産業上の利用可能性】
【００６１】
以上、本発明の実施形態によって詳細に説明したが、本発明はこれに限定されず、本発明が属する技術分野において通常の知識を有するものであれば本発明の思想と精神を離脱することなく、本発明を修正または変更することができる。
【図面の簡単な説明】
【００６２】
【図１】本発明の一実施形態による液晶表示装置を説明する分解斜視図である。
【図２】図１に示した光発生ユニットの平面図である。
【図３】図１に示した受光構造体の斜視図である。
【図４】図１に示した光学クラスタと受光構造体を説明する断面図である。
【図５】本発明の一実施形態による受光構造体の受光を概念的に説明する断面図である。
【図６】本発明の他の実施形態による受光構造体の斜視図である。
【図７】図６に示した受光構造体を有する光学クラスタの受光を概念的に説明する断面図である。
【符号の説明】
【００６３】
１００    収納容器、
２００    光発生ユニット、
２１０    回路基板、
２２０    光学クラスタ、
２２１    赤色点光源、
２２２，２２３    緑色点光源、
２２４    青色点光源、
２３０    受光構造体、
２４０    カラーセンサ、
３００    液晶パネルユニット、
３１０    液晶表示パネル、
３２０    駆動回路部、
４１０    電源供給装置、
４２０    光学部材、
４２２    拡散板、
４２４    光学シート。
【図１】
2007200888.tif 000003
【図２】
2007200888.tif 000004
【図３】
2007200888.tif 000005
【図４】
2007200888.tif 000006
【図５】
2007200888.tif 000007
【図６】
2007200888.tif 000008
【図７】
2007200888.tif 000009